(57)【要約】【課題】高精細表示になった場合でもクロストークの発生を抑制でき、内部を排気しやすいプラズマディスプレイパネルを提供する。【解決手段】間に複数の放電セルを形成するように対向して配置した一対の基板（表面基板１、背面基板２）のうち一方の基板（背面基板２）上に、アドレス電極８と、放電セルを画定する行隔壁１３および列隔壁１２とを設け、列隔壁１２はアドレス電極８と平行方向に配置され、行隔壁１３は列隔壁１２と垂直方向に配置され、行隔壁１３を列隔壁１２よりも高くしたプラズマディスプレイパネルである。【選択図】  図１
2004259589.tif 000002
【特許請求の範囲】
【請求項１】
間に複数の放電セルを形成するように対向して配置した一対の基板のうち一方の基板上に、アドレス電極と、前記放電セルを画定する行隔壁および列隔壁とを設け、前記列隔壁は前記アドレス電極と平行方向に配置され、前記行隔壁は前記列隔壁と垂直方向に配置され、前記行隔壁を前記列隔壁よりも高くしたことを特徴とするプラズマディスプレイパネル。
【請求項２】
アドレス電極を設けた基板に対向して配置した基板上に、対を成す走査電極および維持電極が前記アドレス電極と垂直方向に設けられ、対を成す走査電極と維持電極の間隔を列隔壁と交差する領域において広くしたことを特徴とする請求項１に記載のプラズマディスプレイパネル。
【請求項３】
行隔壁と列隔壁とが交差する部分を、前記列隔壁よりも高くしたことを特徴とする請求項１または２に記載のプラズマディスプレイパネル。
【発明の詳細な説明】
【０００１】
【発明の属する技術分野】
本発明は、薄型のディスプレイ装置に使用されるプラズマディスプレイパネル（ＰＤＰ）に関するものである。
【０００２】
【従来の技術】
プラズマディスプレイ装置は、大画面のフルカラーディスプレイ装置として注目されており、特に、ＡＣ型で３電極面放電構造のＰＤＰを用いたプラズマディスプレイ装置は既に多く実用化されている。このようなＡＣ型で３電極面放電構造のＰＤＰについて図５および図６を用いて説明する。
【０００３】
従来のＰＤＰでは、図５に示すように、ガラス製の表面基板１とガラス製の背面基板２とが間に放電空間を形成するように対向して配置されており、周囲が封止されている。放電空間には、例えばネオン（Ｎｅ）およびキセノン（Ｘｅ）の混合ガスのように、放電によって紫外線を放射するガスが封入されている。
【０００４】
表面基板１上には、対を成すストライプ状の走査電極３と維持電極４とからなる表示電極５が行方向に平行に複数形成されており、表示電極５を覆うように透明な誘電体層６が表面基板１上に形成され、誘電体層６上には保護層７が形成されている。保護層７は、酸化マグネシウム（ＭｇＯ）等のように耐スパッタ性が高く、二次電子放射係数の大きい材料を用いて形成される。また、走査電極３および維持電極４は、それぞれ、インジウムスズ酸化物（ＩＴＯ）等からなる透明電極と、その透明電極上に形成された銀（Ａｇ）等からなるバス電極とにより構成されている。
【０００５】
一方、背面基板２上には、表示電極５と直交する方向（列方向）にストライプ状のアドレス電極８が複数形成されており、このアドレス電極８を覆うように背面基板２上に絶縁体層９が形成されている。また、アドレス電極８間の絶縁体層９上にはストライプ状の隔壁１０が設けられている。隣接する隔壁１０間には、ＲＧＢ各色で発光する蛍光体材料の１つを充填することで各色の蛍光体層１１が形成されている（例えば特許文献１参照）。
【０００６】
このようなＰＤＰの列方向に沿った断面図を図６に示す。走査電極３および維持電極４からなる表示電極５とアドレス電極８とが立体交差した部分には放電セルが形成され、図６には列方向に隣接する２つの放電セルを示している。列方向に隣接する放電セル間では、走査電極３と維持電極４とがセル間ギャップＹｇをあけて配置されている。表示動作を行うときは、走査電極３とアドレス電極８との間で選択的に書き込みパルスを印加してアドレス放電を行うことにより、点灯させる放電セルを選択した後、周期的な維持パルスを走査電極３と維持電極４とに交互に印加することにより、選択した放電セルで維持放電を行っており、この維持放電によって蛍光体層１１を発光させている。維持放電は、主として図６に実線矢印で示すような面放電であり、対となって表示電極５を構成している走査電極３と維持電極４との間で行われる。また、列方向に隣接する放電セル間において、図６に破線矢印で示すような誤放電（クロストーク）が発生することのないように、セル間ギャップＹｇを十分に広くしている。
【０００７】
【特許文献１】
特開２０００−１６４１４５号公報
【０００８】
【発明が解決しようとする課題】
ところで、高精細表示のＰＤＰになると、セル間ギャップＹｇを小さくしなければならない。しかしながら、セル間ギャップＹｇを小さくすると列方向に隣接する放電セル間でクロストークが起こりやすくなるために、セル間ギャップＹｇを小さくするのは困難であった。また、このようなクロストークの発生を防ぐため、各放電セルの全周囲を隔壁によって完全に囲うことで隣接する放電セル間を完全に仕切ってしまうことも考えられるが、この場合には、ＰＤＰの内部を排気することが困難となる。
【０００９】
本発明はこのような課題を解決するためになされたものであり、高精細表示になった場合でもクロストークの発生を抑制でき、内部を排気しやすいＰＤＰを提供することを目的とする。
【００１０】
【課題を解決するための手段】
上記目的を達成するために、本発明のプラズマディスプレイパネルは、間に複数の放電セルを形成するように対向して配置した一対の基板のうち一方の基板上に、アドレス電極と、前記放電セルを画定する行隔壁および列隔壁とを設け、前記列隔壁は前記アドレス電極と平行方向に配置され、前記行隔壁は前記列隔壁と垂直方向に配置され、前記行隔壁を前記列隔壁よりも高くしたことを特徴とする。
【００１１】
【発明の実施の形態】
以下、本発明の一実施の形態について図面を参照しながら説明する。なお、以下で参照する図面において、図５および図６に示す部分と同じ部分については同一符号を付している。
【００１２】
図１は本発明の実施の形態１によるＰＤＰの要部を示す斜視図であり、蛍光体層を省略して示している。実施の形態１によるＰＤＰは、ガラス製の表面基板１とガラス製の背面基板２とを、間に放電空間を形成するように対向して配置し、周囲をフリットガラスで封止して構成されている。放電空間には、例えばＮｅとＸｅの混合ガスを封入している。
【００１３】
表面基板１上には、対を成すストライプ状の走査電極３と維持電極４とからなる表示電極５を行方向に平行に複数形成しており、表示電極５を覆うように誘電体層６を表面基板１上に形成し、誘電体層６上に保護層７を形成している。保護層７は、ＭｇＯ等のように耐スパッタ性が高く、二次電子放射係数の大きい材料を用いて形成される。また、走査電極３および維持電極４は、それぞれ、ＩＴＯ等からなる透明電極と、その透明電極上に形成されたＡｇ等からなるバス電極とにより構成されている。
【００１４】
一方、背面基板２上には、走査電極３および維持電極４と垂直方向（列方向）にストライプ状のアドレス電極８を複数形成しており、このアドレス電極８を覆うように背面基板２上に絶縁体層９を形成している。また、アドレス電極８間の絶縁体層９上には、アドレス電極８と平行方向にストライプ状の列隔壁１２を形成している。さらに、この列隔壁１２と垂直方向に行隔壁１３を形成しており、列隔壁１２よりも行隔壁１３を高くしている。この行隔壁１３は、隣接する表示電極５の間に位置するように配置されている。
【００１５】
走査電極３と維持電極４とからなる表示電極５とアドレス電極８とが立体交差する部分には放電セルが形成される。すなわち、一対の基板である表面基板１と背面基板２とを、間に複数の放電セルを形成するように対向して配置しており、放電セルを画定する列隔壁１２および行隔壁１３を背面基板２上に設けている。
【００１６】
また、図示していないが、列隔壁１２と行隔壁１３とで囲まれたそれぞれの領域では、ＲＧＢ各色で発光する蛍光体材料の１つを充填することで、列隔壁１２および行隔壁１３の側面と絶縁体層９の表面に各色の蛍光体層１１を形成している。列方向には同色の蛍光体層１１を形成し、行方向には例えばＲ、Ｇ、Ｂの順に蛍光体層１１を順次形成している。そして、行方向に隣接して配置された３つの放電セルがカラー表示を行うための１つの画素を構成する。
【００１７】
このようなＰＤＰを使用したプラズマディスプレイ装置の構成を示すブロック図を図２に示す。ＰＤＰ１４の走査電極、維持電極およびアドレス電極には、それぞれ、走査電極駆動回路１５、維持電極駆動回路１６およびアドレス電極駆動回路１７から駆動電圧が印加される。表示信号処理回路１８は、表示信号と同期信号に基づいてアドレス電極駆動回路１７とタイミング制御回路１９に信号を出力し、タイミング制御回路１９は、同期信号と表示信号処理回路１８からの信号に基づいて走査電極駆動回路１５、維持電極駆動回路１６およびアドレス電極駆動回路１７に信号を出力する。このような構成により、ＰＤＰ１４の走査電極を１ラインずつ順次走査（プログレッシブ走査）して、走査電極とアドレス電極との間で選択的にアドレス放電を行った後、周期的な維持パルスを走査電極と維持電極とに交互に印加して維持放電を行うことで、蛍光体層から表面基板側へ放射される可視光により画像表示が行われる。
【００１８】
図１に示した実施の形態１によるＰＤＰでは、列隔壁１２の頂部と保護層７との間には間隙が形成され、行隔壁１３の頂部と保護層７とが接するように構成される。列方向に隣接する放電セル間のセル間ギャップＹｇ（図６参照）の位置には行隔壁１３が形成されており、行隔壁１３の頂部と保護層７との間には間隙が無いので、セル間ギャップＹｇが小さくなった場合でも、列方向の放電セル間でクロストークが発生することを抑制することができる。したがって、セル間ギャップＹｇを小さくすることができるので、高精細な表示が可能なＰＤＰを得ることができる。また、列隔壁１２の頂部と保護層７との間に形成される間隙は気体の通路となるので、ＰＤＰの内部を容易に排気することができる。
【００１９】
図３は本発明の実施の形態２によるＰＤＰの要部を示す斜視図であり、蛍光体層を省略して示している。行隔壁１３の頂部と保護層７とが接するように構成され、蛍光体層は、列隔壁１２および行隔壁１３の側面と絶縁体層９の表面に形成される。図３に示すＰＤＰでは、列隔壁１２と行隔壁１３とが交差する部分（「隔壁交差部」という）において列隔壁１２よりも高くしており、図３においては行隔壁１３と同じ高さになるようにした場合を示している。実施の形態１によるＰＤＰでは、隔壁交差部において保護層７との間に間隙が存在しているため、セル間ギャップＹｇを極めて小さくすると、この間隙を介して斜めの位置にある放電セル間でクロストークが発生しやすくなるが、この間隙を小さくすることでこのようなクロストークの発生を抑制することができる。図３に示すＰＤＰの場合には、隔壁交差部における間隙が無く、隣接する表示電極５の間が行隔壁１３によってほぼ完全に仕切られることになるので、上記のようなクロストークの発生を抑制できる。したがって、図１に示した実施の形態１によるＰＤＰに比べて、セル間ギャップＹｇをより小さく設定することができる。また、列隔壁１２の頂部と保護層７との間には気体の通路となる間隙が存在するので、ＰＤＰの内部を容易に排気することができる。
【００２０】
図４は本発明の実施の形態３によるＰＤＰの要部を示す斜視図であり、蛍光体層を省略して示している。図４に示すＰＤＰは、図１に示した実施の形態１によるＰＤＰにおいて、走査電極３および維持電極４の形状を変えたものである。また、行隔壁１３の頂部と保護層７とが接するように構成され、蛍光体層は、列隔壁１２および行隔壁１３の側面と絶縁体層９の表面に形成される。図４に示すように、走査電極３は方形状の透明電極３ａとライン状のバス電極３ｂとから構成されており、透明電極３ａは列隔壁１２と交差する領域には形成されていない。また、維持電極４は方形状の透明電極４ａとライン状のバス電極４ｂとから構成されており、透明電極４ａは列隔壁１２と交差する領域には形成されていない。このように、対を成す走査電極３と維持電極４との間隔を列隔壁１２と交差する領域において広くすることで、実施の形態１によるＰＤＰに比べて列隔壁１２の頂部と保護層７との間の間隙を大きくしても、各放電セルでの放電が列隔壁１２と保護層７との間の間隙を介して隣の放電セルへ広がってクロストークが発生することを抑制することができる。したがって、ＰＤＰの内部をより一層容易に排気することができる。
【００２１】
なお、実施の形態２によるＰＤＰにおいて、実施の形態３によるＰＤＰのように、対を成す走査電極３と維持電極４との間隔を列隔壁１２と交差する領域において広くするようにしてもよい。また、上記各実施の形態では、走査電極３と維持電極４とからなる表示電極５を、走査電極３と維持電極４とが交互に並ぶように配置した場合について説明したが、走査電極３同士が隣接し維持電極４同士が隣接するように配置した場合にも本発明を適用することができる。
【００２２】
【発明の効果】
以上の説明からわかるように、本発明によれば、高精細表示になった場合でもクロストークの発生を抑制でき、内部を排気しやすいプラズマディスプレイパネルを提供することができる。
【図面の簡単な説明】
【図１】本発明の実施の形態１によるプラズマディスプレイパネルの要部を示す斜視図
【図２】同プラズマディスプレイパネルを使用したプラズマディスプレイ装置の構成を示すブロック図
【図３】本発明の実施の形態２によるプラズマディスプレイパネルの要部を示す斜視図
【図４】本発明の実施の形態３によるプラズマディスプレイパネルの要部を示す斜視図
【図５】従来のプラズマディスプレイパネルの斜視図
【図６】同プラズマディスプレイパネルの断面図
【符号の説明】
１  表面基板
２  背面基板
３  走査電極
４  維持電極
８  アドレス電極
１２  列隔壁
１３  行隔壁
【図１】
2004259589.tif 000003
【図２】
2004259589.tif 000004
【図３】
2004259589.tif 000005
【図４】
2004259589.tif 000006
【図５】
2004259589.tif 000007
【図６】
2004259589.tif 000008